Podtech/llm-jp-corpus-v4-ja_patent huggingface dataset:
(57)【要約】【課題】カメラ付き携帯電話の画像データの送信を簡易に行えるようにする。【解決手段】カメラ付き携帯電話２に、送信する宛て先毎に画像変換条件を記憶した宛て先別画像変換条件記憶部１７を設ける。外部に画像データを送信する際には、宛て先別画像変換条件記憶部１７から宛て先に対応した画像変換条件を読み出し、送信する画像データに演算部１５で読み出した画像変換条件に基づいた変換処理を施す。この変換処理した画像データを画像用メモリ１３に一時記憶し、通信部１６を介して外部機器に送信する。【選択図】　　　　図１
2004147010.tif 000002
【特許請求の範囲】
【請求項１】
カメラで撮影した被写体の画像データを送信する機能を備えたカメラ付き携帯電話において、
送信する宛て先毎に画像変換条件を記憶した記憶部を設け、前記画像データを送信する際に宛て先に応じた画像変換を施すことを特徴とするカメラ付き携帯電話。
【発明の詳細な説明】
【０００１】
【発明の属する技術分野】
本発明は、カメラで撮影した被写体の画像データを送信する機能を備えたカメラ付き携帯電話に関する。
【０００２】
【従来の技術】
カメラで撮影した静止画や動画を、他の携帯電話やパーソナルコンピュータなどの外部機器に送信する機能を備えたカメラ付き携帯電話が急速に普及している。また、携帯電話には、発信者番号に応じて異なるメッセージを着信時に送出する設定を多様な方法により行え、伝言メッセージの録音の可否を発信者番号に応じて選択可能としたものがある（特許文献１参照）。
【０００３】
【特許文献１】
特開２００２−１５２３６６号公報
【０００４】
【発明が解決しようとする課題】
ところで、従来のカメラ付き携帯電話では、外部機器に画像データを送信する度に、送信する外部機器に応じて画像のサイズや画質、モード（カラー、白黒）などの画像変換条件を設定する必要があり、非常に煩雑であった。
【０００５】
本発明は、画像データの送信を簡易に行うことができるカメラ付き携帯電話を提供することを目的とする。
【０００６】
【課題を解決するための手段】
上記目的を達成するために、本発明のカメラ付き携帯電話は、送信する宛て先毎に画像変換条件を記憶した記憶部を設け、画像データを送信する際に宛て先に応じた画像変換を施すことを特徴とする。
【０００７】
【発明の実施の形態】
図１に、本発明を実施したカメラ付き携帯電話の内部構成を示す。カメラ付き携帯電話２は、撮像部１０、操作部１１、Ａ／Ｄ変換器１２、画像用メモリ１３、制御部１４、演算部１５、通信部１６、および宛て先別画像変換条件記憶部１７などから構成される。撮像部１０は、カラーイメージエリアセンサから構成されており、操作部１１の撮影ボタン（図示せず）の押下により被写体を撮影する。撮像部１０で撮影された被写体画像は、Ａ／Ｄ変換器１２でデジタルの画像データに変換される。デジタル変換された画像データは、画像用メモリ１３に記憶される。
【０００８】
操作部１１は、上記撮影ボタンの他に、０〜９の数字キーや各種ファンクションキーなどからなり、ユーザーがこれらを操作することで通話やＥメール、各種設定データの入力などが行われる。
【０００９】
制御部１４は、操作部１１からの入力信号に基づいて、カメラ付き携帯電話２全体の動作を統括制御する。演算部１５は、撮影した画像データを他の携帯電話やパーソナルコンピュータ、インターネットサーバなどの外部機器に送信する際に、制御部１４を介して画像用メモリ１３から画像データを読み出し、読み出した画像データに画像のサイズや画質、モード（カラー、白黒）などの画像変換条件に基づいた変換処理を施す。演算部１５により画像変換された画像データは、制御部１４を介して画像用メモリ１３に記憶される。
【００１０】
通信部１６は、画像用メモリ１３から１フレーム分のデジタル画像データを読み出して、周知の圧縮形式（例えばＪＰＥＧ形式）で圧縮し、圧縮された画像データを指定された宛て先の外部機器に送信する。なお、通信部１６は、上記機能の他に、通常の通話機能やメール機能などを備えている。
【００１１】
宛て先別画像変換条件記憶部１７には、外部機器に画像データを送信する際に用いる画像変換条件が、送信する宛て先別に記憶されている。宛て先別の画像変換条件は、操作部１１でユーザーにより予め設定され、宛て先の電話番号やメールアドレスなどと対応して記憶される。なお、宛て先別の画像変換条件を、外部機器から送信された画像データを元に自動的に設定するようにしてもよい。
【００１２】
次に、上記実施形態による作用について説明する。ユーザーは、転送する宛て先別に画像変換条件を設定し、宛て先別画像変換条件記憶部１７にこの情報を予め登録しておく。外部機器に画像データを送信する際には、宛て先別画像変換条件記憶部１７から宛て先に対応した画像変換条件を読み出し、送信する画像データに演算部１５で読み出した画像変換条件に基づいた変換処理を施す。そして、この変換処理した画像データを画像用メモリ１３に一時記憶し、通信部１６を介して外部機器に送信する。このようにすると、画像データを送信する度に画像変換条件を設定する必要がなくなる。
【００１３】
【発明の効果】
以上のように、本発明のカメラ付き携帯電話によれば、送信する宛て先毎に画像変換条件を記憶した記憶部を設け、画像データを送信する際に宛て先に応じた画像変換を施すので、画像データの送信を簡易に行うことができる。
【図面の簡単な説明】
【図１】カメラ付き携帯電話の内部構成を示すブロック図である。
【符号の説明】
２　カメラ付き携帯電話
１０　撮像部
１４　制御部
１５　演算部
１６　通信部
１７　宛て先別画像変換条件記憶部
【図１】
2004147010.tif 000003
(57)【要約】【課題】ターン数を多く必要とする用途に好適なループアンテナを提供する。【解決手段】コイル１を巻いた外向きの溝２をもつ絶縁樹脂製ループ状のボビン３の中空部４に前記コイル１と共振回路を形成する同調用部品例えば抵抗５、コンデンサ６を配置したループアンテナであって、前記中空部４の一部において前記ボビン３の片端面に樹脂モールド７を施してその反対側に収納空間８を形成し、この収納空間８に前記同調用部品５、６を収納するとともに、前記収納空間８に絶縁樹脂製のポッティング剤９を充填したループアンテナである。また、コイル１が接続されたボビン３からの端子１０が収納空間８側に突出され、前記端子１０と前記同調用部品５、６とが接続されている。また、引出線１１が収納空間８以外の中空部４から引き出されている。【選択図】　図３
2004147150.tif 000002
【特許請求の範囲】
【請求項１】
コイルを巻いた外向きの溝をもつループ状のボビンの中空部に前記コイルと共振回路を形成する同調用部品を配置したループアンテナであって、前記中空部の一部において前記ボビンの片端面に樹脂モールドを施してその反対側に収納空間を形成し、この収納空間に前記同調用部品を収納するとともに、前記収納空間にポッティング剤を充填したループアンテナ。
【請求項２】
請求項１において、コイルが接続されたボビンからの端子が収納空間側に突出され、前記端子と前記同調用部品とが接続されたループアンテナ。
【請求項３】
請求項１または２において、引出線が収納空間以外の中空部から引き出されたループアンテナ。
【発明の詳細な説明】
【０００１】
【発明の属する技術分野】
本発明は、自動車のキーレスエントリ装置に好適なループアンテナに関する。
【０００２】
【従来の技術】
キーレスエントリ装置用のループアンテナとしては特許文献１が開示されている。その開示内容は、ガラスエポキシ基板に銅箔をループ状に形成し、そのループ内に前記銅箔ループと共振回路を形成するトリマコンデンサやインダクタンスなどの同調用部品を配置している。
【０００３】
【特許文献１】
特開平８−１６２８３１号公報
【０００４】
【発明が解決しようとする課題】
しかし、前記特許文献１によるループアンテナは１ターンであり、ターン数を多く必要とする用途には適していない。従って、本発明はターン数を多く必要とする用途に好適なループアンテナを提供することを目的とする。
【０００５】
【課題を解決するための手段】
本発明を要約すると、コイルを巻いた外向きの溝をもつループ状のボビンの中空部に前記コイルと共振回路を形成する同調用部品を配置したループアンテナであって、前記中空部の一部において前記ボビンの片端面に樹脂モールドを施してその反対側に収納空間を形成し、この収納空間に前記同調用部品を収納するとともに、前記収納空間にポッティング剤を充填したループアンテナである。また、コイルが接続されたボビンからの端子が収納空間側に突出され、前記端子と前記同調用部品とが接続されていると好ましい。また、引出線が収納空間以外の中空部から引き出されていると好ましい。
【０００６】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００７】
図示の実施形態は、インダクタンスとなるコイル１を巻いた外向きの溝２をもつ絶縁樹脂製ループ状のボビン３の中空部４に前記コイル１と共振回路を形成する同調用部品例えば抵抗５、コンデンサ６を配置したループアンテナであって、前記中空部４の一部において前記ボビン３の片端面に樹脂モールド７を施してその反対側に収納空間８を形成し、この収納空間８に前記同調用部品５、６を収納するとともに、前記収納空間８に絶縁樹脂製のポッティング剤９を充填したループアンテナである。
【０００８】
また、コイル１が接続されたボビン３からの端子１０が収納空間８側に突出され、前記端子１０と前記同調用部品５、６とが接続されている。また、引出線１１が収納空間８以外の中空部４から引き出されている。なお、樹脂モールド７は溝２を覆うようにも施され、コイル１を保護している。
【０００９】
さらに詳述すれば、ボビン３の内周縁間をクロスするブリッジ片１２がボビン３と一体にあらかじめ形成され、収納空間８の一辺はブリッジ片１２で仕切られている。なお、ブリッジ片１２はなくても、ブリッジ片１２に相当する箇所を含み樹脂モールド７を施すとよい。また、１３は、このループアンテナを自動車のバックミラーやバンパーの内部に取り付けるための孔のある取付片である。また、引出線１１はボビン３の内周縁に一体に突出した係止片１４にて係止されてから外部に引き出されている。
【００１０】
本実施形態によれば、ターン数を多く必要とする用途に好適なループアンテナを提供できる。そして、ボビン３の中空部４の一部において前記ボビン３の片端面に樹脂モールド７を施してその反対側に収納空間８を形成したため、この収納空間８に前記同調用部品５、６を容易に位置決め収納でき、さらに、前記収納空間８に絶縁樹脂製のポッティング剤９を充填したため、前記同調用部品５、６の保護が可能となった。また、ボビン３からの端子１０が収納空間８側に突出されているため、前記端子１０と前記同調用部品５、６とが容易に接続される。また、引出線１１が収納空間８以外の中空部４から引き出されているため、中空部４の残部が有効利用されている。
【図面の簡単な説明】
【図１】モールド後の平面図
【図２】さらにポッティングした後の断面図
【図３】同平面図
【図４】同背面図
【符号の説明】
１　コイル
２　溝
３　ボビン
４　中空部
５　抵抗
６　コンデンサ
７　樹脂モールド
８　収納空間
９　ポッティング剤
１０　端子
１１　引出線
【図１】
2004147150.tif 000003
【図２】
2004147150.tif 000004
【図３】
2004147150.tif 000005
【図４】
2004147150.tif 000006
(57)【要約】【課題】個人が次の移動先で取る行動に応じた処理を、人の手を煩わせることなく自動的実行または実行停止する。【解決手段】ＧＰＳ装置から得られる移動情報と、あらかじめ登録された行動データベースを照合することで次に取る行動を予測し、それに応じた処理を自動的に行う。【効果】上記解決手段により、従来その都度指示を行っていた遠隔操作を、移動情報と行動ＤＢとのマッチングにより自動的に行うことができるため、動作指示および動作停止指示の出し忘れミスを防ぐことができる。【選択図】　図１
2004147133.tif 000002
【特許請求の範囲】
【請求項１】
行動先読み処理システムであって、
ＧＰＳ装置から得られる利用者の移動情報と、
あらかじめデータベースに格納された前記利用者の行動情報とを照合し、
前記利用者の次なる行動を予測し、
前記次なる行動を補助する処理を行うことを特徴とする行動先読み処理システム。
【発明の詳細な説明】
【０００１】
【発明の属する技術分野】
本発明は、ＧＰＳ装置および行動判定用の行動先読みシステムが互いにネットワーク接続され、相互に情報のやりとりを行うことで、処理の内容を決定するシステムに関する。
【０００２】
【従来の技術】
位置・時刻・移動速度・移動方向に関する情報の利用は、地図とのマッチングによる所在地確認や目的地までの所要時間算出などにのみ用いられている。
【特許文献１】
特願平１１−２７０６０４号公報
【０００３】
【発明が解決しようとする課題】
位置・時刻・移動速度・移動方向に関する情報および個人の行動パターンから次の行動を先読みし、その行動を補助する処理を行う。
【０００４】
【課題を解決するための手段】
ＧＰＳ装置から得られる移動情報と、あらかじめ定義された行動データベースとを照合することで、次に採る行動を予測し、その行動を補助するような処理を自動的に行う。
ＧＰＳ装置と行動先読み処理システムは、ネットワークを介して繋がっており、相互に情報のやりとりを行うことができる。
行動先読み処理システムは、位置・時刻・移動速度・移動方向の情報と、行動データベースの情報とを照合することで、次に採る行動を予測し、その行動内容に応じた処理を自動的に実行する。
【０００５】
【発明の実施の形態】
以下、本発明の実施の形態を詳細に説明する。
【０００６】
図１は、本発明のシステム構成図である。
ＧＰＳ装置（１０２）は、行動先読み処理システム（１０３）および自動処理対象装置（１０６）とネットワーク（１０７）でつながっている。行動先読みシステム（１０３）はＧＰＳ装置（１０２）からの位置や移動情報を、行動ＤＢ（１０４）のデータと照合・判断することで、自動処理対象装置（１０５）に対し、ネットワーク（１０６）を介して次にとるべき処理の指示を出す。
【０００７】
ここで、本実施の形態では、ＧＰＳ装置とは、ＧＰＳなどの位置・時刻・移動速度・移動方向を取得可能な装置をいう（以下、ＧＰＳ装置をいう。）。
【０００８】
図２は、帰社時に自宅の風呂を自動的に沸かすシステムの処理の流れである。まずはじめに、帰社かどうかの判定（２０１）を行う。帰社かどうかの判定処理は図３および下記説明に記す。
【０００９】
帰社であると判定した場合、湯沸しを開始（２０２）する。
その後、自宅に到着した場合（２０３）は処理を終了する。
帰宅経路を外れた場合、あるいは帰宅経路上であっても長時間移動を停止している場合（２０４）は、湯沸しを一時停止（２０５）し、帰社経路で移動を開始するまで待つ。
帰宅を停止したかどうかの判定処理は図４および下記説明に記す。
【００１０】
図３は、帰宅中であるかどうかの判定処理である。
【００１１】
まず、はじめに、ＧＰＳ装置からの情報をもとに、現在居る場所が行動ＤＢ（１０５）に登録されている帰宅ルート上にあるかどうかを確認（３０１）する。帰宅ルート上である場合、ＧＰＳ装置からの情報をもとに移動中であるかどうかを判断する（３０２）。その際、横断歩道・交差点での信号待ちや駅での電車待ちなど短時間の移動停止は無視するようにする。
【００１２】
移動中であると判断した場合、次に帰宅する可能性のある時間帯（終業時刻から終電車時刻まで等）であるかどうかをチェックする（３０３）。
【００１３】
更に、行動ＤＢ（１０５）上の予定表をチェックし、他の予定が入っていないことを確認することで、帰宅中であると判定する。
【００１４】
図４は、帰宅を停止したかどうかの判定処理である。
【００１５】
ＧＰＳ装置からの情報をもとに、帰宅経路を逆方向に進んでいないかどうかチェックする（４０１）。逆方向に進んでいる場合、帰宅を中断したと判定する（４０４）。
【００１６】
次に、帰宅経路を外れているかどうかをチェックする（４０２）。ＧＰＳ装置からの情報と、行動ＤＢに登録されている帰宅経路に不一致が生じた場合、帰宅を中断したと判定する（４０４）。
【００１７】
最後に、長時間停止しているかどうかのチェックを行う（４０５）。１箇所に留まっている時間がある程度以上になった場合、寄り道をしている、あるいは交通渋滞や列車ダイヤ乱れが発生していると判断し、帰宅を（一時）中断したと判定する（４０４）。
【００１８】
【発明の効果】
本発明によれば、移動情報と行動ＤＢとのマッチングにより、個人の手を煩わせることなく先読み操作を自動的に行うことができる。また、従来はその都度指示を行っていた遠隔操作を、移動情報と行動ＤＢとのマッチングにより自動的に行うことができるため、動作指示および動作停止指示の出し忘れミスを防ぐことができる。
【図面の簡単な説明】
【図１】本発明の実施例を実現するためのシステム構成図
【図２】遠隔湯沸しのアルゴリズム
【図３】帰宅中かどうかを判定するアルゴリズム
【図４】帰宅を中断したかどうかを判定するアルゴリズム
【符号の説明】
１０１　行動対象者
１０２　ＧＰＳなどの位置・時刻・移動速度・移動方向を取得可能な装置
１０３　行動先読み処理システム
１０４　行動データベース
１０５　自動処理対象装置
１０６　ネットワーク
２０１〜４０５　各アルゴリズムの判定および処理項目
【図１】
2004147133.tif 000003
【図２】
2004147133.tif 000004
【図３】
2004147133.tif 000005
【図４】
2004147133.tif 000006
(57)【要約】【課題】インダクタンス値を適正に微調整しかつ仮固定できるバーアンテナを提供する。【解決手段】フェライト材によるコア１の周りにコイル２を巻いた絶縁樹脂製のボビン３を配置したバーアンテナであって、前記ボビン３の端部に前記コア１の表面に食いつく係止部４を形成したバーアンテナである。また、係止部４の付近とコア１とを接着剤５で接着している。なお、係止部４は複数のものが略等間隔に円陣状に配置され、その先端は内周方向にわずかに突出している。【選択図】　図２
2004147151.tif 000002
【特許請求の範囲】
【請求項１】
コアの周りにコイルを巻いたボビンを配置したバーアンテナであって、前記ボビンの端部に前記コアの表面に食いつく係止部を形成したバーアンテナ。
【請求項２】
請求項１において、係止部付近とコアとを接着したバーアンテナ。
【発明の詳細な説明】
【０００１】
【発明の属する技術分野】
本発明は、自動車のキーレスエントリ装置に好適なバーアンテナに関する。
【０００２】
【従来の技術】
キーレスエントリ装置用のバーアンテナとしては特許文献１が開示されている。その開示内容は、バーアンテナの外部をポッティング剤で包む保護技術にある。
【０００３】
【特許文献１】
特開２００１−３５５３５８号公報
【０００４】
【発明が解決しようとする課題】
しかし、前記特許文献１では、バーアンテナのインダクタンス値の微調整についてはなんら開示されていない。本発明は、インダクタンス値を適正に微調整かつ仮固定できるバーアンテナを提供することを目的とする。
【０００５】
【課題を解決するための手段】
本発明を要約すると、コアの周りにコイルを巻いたボビンを配置したバーアンテナであって、前記ボビンの端部に前記コアの表面に食いつく係止部を形成したバーアンテナである。また、係止部付近とコアとを接着するとよい。
【０００６】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００７】
図示の実施形態は、フェライト材によるコア１の周りにコイル２を巻いた絶縁樹脂製のボビン３を配置したバーアンテナであって、前記ボビン３の端部に前記コア１の表面に食いつく係止部４を形成したバーアンテナである。また、係止部４の付近とコア１とを接着剤５で接着している。なお、係止部４は複数のものが略等間隔に円陣状に配置され、その先端は内周方向にわずかに突出している。
【０００８】
さらに詳述すれば、本バーアンテナは自動車のドア内に収納固定され、ボビン３からはコイル２に接続された端子６が突出される。
【０００９】
本実施形態によれば、ボビン３をコア１に対してスライド微調整した後は、係止部４とコア１との摩擦で仮固定される。そして、その適正位置にて接着剤５を塗布してボビン３とコア１の相対位置が決定され、本バーアンテナのインダクタンス値が固定される。
【図面の簡単な説明】
【図１】取付状態断面図
【図２】同要部を一部破断して示す拡大断面図
【図３】同ボビンの端面図
【符号の説明】
１　コア
２　コイル
３　ボビン
４　係止部
５　接着剤
【図１】
2004147151.tif 000003
【図２】
2004147151.tif 000004
【図３】
2004147151.tif 000005
(57)【要約】【課題】本発明の目的は生卵を原料とする食品製造業から排出される卵殻を乾燥させて飼料にすることができる卵殻の処理方法および装置を提供することにある。【解決手段】卵殻１をバスケット２に収納して遠心分離機３の回転機構４に装着し、卵殻１を遠心分離により脱水する。脱水後にファン５により送風乾燥させ、乾燥した卵殻１に紫外線ランプ６から紫外線を照射する。滅菌した後に破砕機７により所定の粒度に粉砕する。【選択図】  図１
2004147568.tif 000002
【特許請求の範囲】
【請求項１】
卵殻を飼料にするものであって、卵殻を遠心分離により脱水する工程と、通風により乾燥する工程と、紫外線により滅菌する工程と、破砕により所定の粒度に粉砕する工程とを含むことを特徴とする卵殻の処理方法。
【請求項２】
遠心分離用のバスケットに収納された卵殻を脱水する遠心分離機と、脱水された前記卵殻を前記遠心分離機内で乾燥させるファンと、乾燥された前記卵殻を前記遠心分離機内で紫外線により滅菌する紫外線ランプと、滅菌された前記卵殻を所定の粒度に粉砕する破砕機とを具備することを特徴とする卵殻の処理装置。
【発明の詳細な説明】
【０００１】
【発明の属する技術分野】
本発明は、生卵を原料とする食品製造業から排出される卵殻の処理方法係り、特に卵殻を乾燥し飼料にする卵殻処理方法および装置に関する。
【０００２】
【従来の技術】
【特許文献１】特開２００１−１６９７３２号公報
卵殻は養鶏場、集卵場、および生卵を原料とする食品製造業、例えばマヨネーズ工場等から多量に排出されている。従来、卵殻は他の生ゴミと一緒に焼却している。これは卵殻の処理方法が確立されていないためである。しかし、焼却には大量のエネルギーを要し、また、ダイオキシン発生の可能性がある。
ところで、卵殻は良質なカルシウム成分を有している。したがって、卵殻は飼料の原料として有用である。例えば、上記の特開２００１−１６９７３２号公報には、割卵・破卵を加熱・固形化し、養殖魚のエサおよび家畜の飼料の栄養剤にすることが記載されている。
【０００３】
【発明が解決しようとする課題】
従来技術は、卵の中身である白身と黄身を対象としており、卵殻の飼料化の対象外になっている。このため、良質なカルシウム成分を有している卵殻を飼料にする技術の開発が強く要望されている。
本発明の目的は生卵を原料とする食品製造業から排出される卵殻を乾燥させて飼料にすることができる卵殻の処理方法および装置を提供することにある。
【０００４】
【課題を解決するための手段】
本発明の特徴とするところは、卵殻を遠心分離により脱水して通風により乾燥させ、乾燥した卵殻を紫外線により滅菌した後に所定の粒度に粉砕するようにしたことにある。
本発明は卵殻を遠心分離により脱水して通風により乾燥させているので、卵殻に水分が３０％程度含まれ、かつ、卵殻内面の薄膜に白身が５％程度残存していても水分を１０％以下にでき卵殻を飼料して有効利用することができる。
【０００５】
【発明の実施の形態】
以下、図面を用いて本発明の実施例について説明する。
図１は本発明の一実施例を示す構成図である。
図１において、卵殻１を遠心分離用のバスケット２に収納される。バスケット２は遠心分離機３の底面に設けられている回転機構４に装着される。遠心分離機３内の上面には卵殻１に送風するファン５が取付けられている。遠心分離機３内の側面には卵殻１に紫外線を照射する紫外線ランプ６が取付けられている。
バスケット２に収納されて脱水、乾燥、滅菌された卵殻１は破砕機７に投入される。破砕機７は卵殻１を所定の粒度に粉砕する。破砕機７で所定の粒度に粉砕された卵殻１は受容器８に回収される。
【０００６】
次に動作を説明する。
マヨネーズ工場等から排出される卵殻１は遠心分離用のバスケット２に収納される。マヨネーズ工場等から排出される卵殻１には水分が３０％程度含まれ、また、卵殻１内面の薄膜に白身が５％程度残存している。卵殻１を収納したバスケット２を遠心分離機３の底面に設けられている回転機構４に装着する。
【０００７】
この状態で回転機構４を作動させバスケット２を回転させる。バスケット２に収納された卵殻１は遠心力を受けて水分が脱水される。遠心脱水によって卵殻１の水分を１０％以下にすることは困難である。脱水工程が終了したら、次にファン５を作動させバスケット２内の卵殻１に空気を送風する。
【０００８】
卵殻１はファン５からの送風によって乾燥される。乾燥工程により、卵殻１に含まれる水分は１０％以下になる。ファン５からの送風は室温で行われるため、熱風乾燥法に比較して投入されるエネルギーを少なくできる。
【０００９】
卵殻１は工場から搬出後の貯蔵工程において雑菌が付着する可能性がある。そのため、乾燥工程が終了したら紫外線ランプ６を点灯して紫外線を照射し、卵殻１に付着している雑菌を滅菌する。
【００１０】
次に、バスケット２を遠心分離機３から取り出し、卵殻１を破砕機７に投入する。破砕機７は卵殻１を飼料として適切な粒度である約０．１ｍｍ以下に粉砕する。卵殻１は破砕機７によって粉砕され受容器８に回収される。受容器８に回収された卵殻１は有用なカルシウムが主成分であり、最終的には袋詰めされ、飼料として用いられる。
【００１１】
このようにして卵殻を飼料にするのであるが、卵殻を遠心分離により脱水して通風により乾燥させているので、卵殻に水分が３０％程度含まれ、かつ、卵殻内面の薄膜に白身が５％程度残存していても水分を１０％以下にでき卵殻を飼料して有効利用することができる。
【００１２】
また、上述の実施例は脱水工程、乾燥工程及び滅菌工程は遠心分離機で行うようにしているので、処理を効率的に行るという効果も奏する。
【００１３】
【発明の効果】
本発明は卵殻を遠心分離により脱水して通風により乾燥させているので、卵殻に水分が３０％程度含まれ、かつ、卵殻内面の薄膜に白身が５％程度残存していても水分を１０％以下にでき卵殻を飼料して有効利用することができる。
【図面の簡単な説明】
【図１】本発明の一実施例を示す構成図である。
【符号の説明】
１…卵殻、２…バスケット、３…遠心分離機、４…回転機構、５…ファン、６…紫外線ランプ、７…破砕機、８…受容器。
【図１】
2004147568.tif 000003
(57)【要約】【課題】ヌメリツバタケモドキ（Ｏｕｄｅｍａｎｓｉｅｌｌａ    ｖｅｎｏｓｏｌａｍｅｌｌａｔａ）はブナ林などで見られる日本特産のキノコで、食用キノコであることが知られている。食味は癖がなく温和で料理素材として可能性に満ちている。しかし、これの人工栽培に成功した例はいまだ報告されておらず、手に入れるためには天然物の採集に頼らなければならない。本発明の目的は食用キノコであるヌメリツバタケモドキを前述したキノコ培地を用いて人工栽培し、周年安定して製造する方法を提供することにある。【解決手段】既存のキノコ栽培に用いられている培地、詳しくはそれぞれ特性の違うエノキタケ、ブナシメジ、ナメコ、マイタケなどの実栽培用の培地を用いて栽培し、培養日数、収量、栽培の難易度などを加味した結果、数種の菌種からヌメリツバタケモドキが収量、栽培日数ともに既存の栽培品目のキノコに見劣りしないことを確認することで本発明を完成した。【特許請求の範囲】
【請求項１】
ヌメリツバタケモドキの人工栽培において培地基材は特に選ばず、既存のキノコ栽培に使用されている針葉樹オガクズ、広葉樹オガクズ、コーンコブ、など多岐にわたり使用可能で、栄養剤もまた米ヌカ、フスマ、コーンブランなどいずれも使用可能で特に選ばない。この培地基材と栄養剤からなるキノコ培地を殺菌した後、種菌を接種し、温度１５〜３０℃で１５〜９０日間培養する。
その後、湿度８０％以上  温度１０〜２５℃で１０〜２０日間保つことにより子実体原基を形成せしめ、さらに同一条件で１０〜２０日生育させることにより成熟子実体を得ることを特徴としたヌメリツバタケモドキの栽培方法
【発明の詳細な説明】
【０００１】
【従来の技術】
現在、シイタケ、エノキタケ、ナメコ、ブナシメジ、エリンギなど様々なキノコが人工栽培され年間を通して市場に出されている。また、人工栽培がなされたキノコの多くは検体の安定供給を背景に、よく分析され、有用成分の発見に至る事例も認められている。しかしながら未だ人工栽培されていない食用キノコが多数存在し、食品としてのみならず有用な遺伝資源の発掘という面からも新しいキノコの栽培技術の開発は必要とされている。ヌメリツバタケモドキ（Ｏｕｄｅｍａｎｓｉｅｌｌａ    ｖｅｎｏｓｏｌａｍｅｌｌａｔａ）はブナ林などで見られる日本特産のキノコで、食用キノコであることが知られている。食味は癖がなく温和で料理素材として可能性に満ちている。しかし、これの人工栽培に成功した例はいまだ報告されておらず、手に入れるためには天然物の採集に頼らなければならない。
【０００２】
【発明が解決しようとする課題】
本発明の目的は食用キノコであるヌメリツバタケモドキを前述したキノコ培地を用いて人工栽培し、周年安定して製造する方法を提供することにある。
【０００３】
【課題を解決するための手段】
既存のキノコ栽培に用いられている培地、詳しくはそれぞれ特性の違うエノキタケ、ブナシメジ、ナメコ、マイタケなどの実栽培用の培地を用いて栽培し、培養日数、収量、栽培の難易度などを加味した結果、数種の菌種からヌメリツバタケモドキが収量、栽培日数ともに既存の栽培品目のキノコに見劣りしないことを確認することで本発明を完成した。
【０００４】
【実施例】
以下に本発明によるヌメリツバタケモドキの人工栽培法を実施例をもって示すが、本発明は以下の実施例の範囲のみに限定されるものではない。
【０００５】
【実施例１】
針葉樹鋸屑（スギ材）１００ｇ、米ヌカ９０ｇ  水道水３２０ｍｌを良く混合した後、８５０ｍｌのキノコ栽培用ビンに充填し、中心に１５ｍｍの穴を開けた後、ウレタンキャップをした。これを１２０℃４０分間でオートクレーブ殺菌を行い、放冷した後ヌメリツバタケモドキの菌糸を接種し、２０〜２２℃、湿度６０％の条件下で２５日間の菌糸体培養を行った。菌糸体培養の終了後、培養基表面の菌掻きを行い、１６℃、湿度９０％の発生室で２２日間、発生生育させた後、１ビン当たり平均１４６ｇの成熟子実体を得た。
【０００６】
【実施例２】
広葉樹鋸屑（ブナ材）１４０ｇ、米ヌカ１０ｇ  一般ふすま３０ｇ  水道水２９０ｍｌを良く混合した後、８５０ｍｌのキノコ栽培用ビンに充填し、中心に１５ｍｍの穴を開けた後、ウレタンキャップをした。これを１２０℃４０分間でオートクレーブ殺菌を行い、放冷した後ヌメリツバタケモドキの菌糸を接種し、２０〜２２℃、湿度６０％の条件下で２５日間の菌糸体培養を行った。菌糸体培養の終了後、培養基表面の菌掻きを行い、１６℃、湿度９０％の発生室で２２日間、発生生育させた後、１ビン当たり平均６５ｇの成熟子実体を得た。
【０００７】
【発明の効果】
以上詳細に説明したように、本発明の栽培方法によればヌメリツバタケモドキを高収量かつ短期間に栽培する事ができる。
(57)【要約】【課題】全体として特有の新たな風味と食感を発現し、しかも低カロリーなスナック菓子を提供する。【解決手段】菓子ベース２に風味材３をコーティングしたスナック菓子において、菓子ベースを、スナック用に仕立てカットして真空凍結乾燥した豆腐とした。これにより、ベース自体の味は、特に癖がなく、サクサク感とふわっとした軽い食感で、風味材のコーティングで味付けされた低カロリーの健康指向のスナック菓子が得られる。【選択図】        図１
2004147546.tif 000002
【特許請求の範囲】
【請求項１】
菓子ベースに風味材をコーティングしたスナック菓子において、
前記菓子ベースは、スナック用に仕立てカットして真空凍結乾燥した豆腐からなることを特徴とするスナック菓子。
【請求項２】
前記風味材は、チョコレートである、請求項１記載のスナック菓子。
【発明の詳細な説明】
【０００１】
【発明の属する技術分野】
本発明は、スナック菓子に関し、特に、菓子ベースに風味材をコーティングしたスナック菓子に関する。
【０００２】
【従来の技術】
菓子ベースに風味材をコーティングしたスナック菓子において、菓子ベースとコーティングには、従来から種々の組合せがある。菓子ベースの代表的なものとしては、ビスケット、クッキー、タフィー、ナッツ、コーンフレーク、マシュマロ、センベイ、フライされたスナック、果物等があり、コーティングとしては、チョコレート、ジャム、クリーム、砂糖、食塩、脱脂粉乳、ナッツチップ、ナッツパウダー、カカオパウダー、チーズ等が挙げられる。こうした中で、新たなベースとコーティングの組合わせにより、購買者の味覚嗜好に合致し、しかも従来にない独特の風味を発揮させる種々の工夫がなされている。こうした例として、例えば、特開平１０−２９５２７６号公報に開示のスナック菓子がある。
【０００３】
【発明が解決しようとする課題】
ところで、このような組合わせに使用するベースとコーティングは、それぞれが特有の持ち味、すなわち風味や食感を発揮しながら、組合された菓子としての特有の風味や食感を生じさせるものでなければ組み合わせの意味がない。
【０００４】
他方、スナック菓子は、その風味が好ましいほど大量に摂取されがちなものであり、通常、風味の優れた脂肪性のものほど高カロリーであるところ、最近の健康指向から、嗜好食品としてのスナック菓子には、大量に食してもなお、摂取カロリーとしては低い低カロリー性が望まれる。
【０００５】
そこで本発明は、菓子ベースとコーティングに特有の風味と食感を残しながら、全体として特有の新たな風味と食感を発現し、しかも低カロリーなスナック菓子を提供することを目的とする。
【０００６】
【課題を解決するための手段】
上記目的を達成するため、本発明は、菓子ベースに風味材をコーティングしたスナック菓子において、前記菓子ベースは、スナック用に仕立てカットして真空凍結乾燥した豆腐からなることを特徴とする。
【０００７】
上記の構成において、好ましくは、前記風味材は、チョコレートとされる。
【０００８】
【発明の実施の形態】
以下、本発明の実施形態を説明する。図１は、本発明のスナック菓子の構造を一部切断面とした斜視図で示す。図示のように、スナック菓子１は、豆腐をスナック用に仕立てカットして真空凍結乾燥した菓子ベース２に、融解・固化可能な風味材３をコーティングしたものである。
【０００９】
菓子ベース２としての豆腐は、それ自体に若干の味付けをしたもの、あるいは全く味付けをしないもの等、任意のものを用いることができるが、この形態では、舌触りのよさを狙って、絹こし豆腐を真空凍結乾燥したものを、一口で口内に収まる程度の通常のチョコレート菓子と同様なブロック仕立てとしている。この場合のブロックの形状は、図示のものでは立方体を例示しているが、一般には、幾何学的形状、例えば、直方体、立方体、円錐形、角錐形、球形、棒状、文字状等、又は、天然の食品の形状を模した形状等、任意の形状とすることができる。
【００１０】
菓子ベース２の表面にコーティングされる風味材３としては、種々のものを用い得るが、中でも、チョコレートがベースとの組合わせとして望ましく、他に、フルーツベリーやチーズ、更には従来例として先に挙げた種々のコーティング材を用いることもできる。特に風味材３をチョコレートとする場合、真空凍結乾燥した豆腐に特有の微かな苦味を持った癖のない風味と、マカダミヤナッツやいわゆるバナナのお菓子として知られる砂糖菓子にも似た程好い固さの歯ざわりに対する、チョコレートに特有の濃厚な風味と、ペースト状の粘り気のある食感のバランスから、コーティングは、ベースの大きさに対して薄肉になされることが望ましい。
【００１１】
【実施例】
次に、本発明の実施例を、菓子ベース２を真空凍結乾燥した絹こし豆腐とし、風味材３をチョコレートとした場合について例示する。この実施例のブロックを構成する豆腐の使用材料は、下表のとおりである。
2004147546.tif 000003
また、コーティングを構成するチョコレートの使用材料は、砂糖、カカオマス、全粉乳、植物油脂、カカオバターである。
上記の配合比率の菓子ベースを、縦×横×高さの各寸法が１４×２５×１２ｍｍのブロックに仕立て、それにより得られる平均重量２．５０ｇのブロックの全面に、上記成分からなる薄肉のチョコレートコーティングを施した。この場合のコーティング厚は、平均で０．５ｍｍとした。
【００１２】
上記実施例の場合、チョコレートを風味材とすることで、極めて良好な風味が得られた。この場合の１００ｇ当りの分析試験成績は下表のとおりである。
2004147546.tif 000004
【００１３】
【発明の効果】
本発明の請求項１に記載の構成では、ベースを豆腐とすることで、ベース自体の味は、特に癖がなく、サクサク感とふわっとした軽い食感であるのに対して、風味材のコーティングで味付けがなされることで、年少者から年輩者まで幅広い年齢層に渡って好まれる味付けのスナック菓子を得ることができる。また、スナック仕立てにカットしたことで、概ね６０個で豆腐１丁分に相当し、風味材がコーティングであることで風味材を含めた全体の１個当りの摂取カロリーを低く抑えることができるため、健康指向のスナック菓子とすることができる。
【００１４】
次に、請求項２に記載の構成では、特に癖がなく、サクサク感とふわっとした軽い食感のベースに対して、チョコレート味が加味されることで、従来にない特有の風味と食感を発現させた、幅広い年齢層に好まれるチョコレート味のスナック菓子を得ることができる。
【図面の簡単な説明】
【図１】本発明の実施形態に係るスナック菓子を一部断面で示す斜視図である。
【符号の説明】
１  スナック菓子
２  ベース
３  風味材
【図１】
2004147546.tif 000005
(57)【要約】【課題】靴の中敷又はスリッパ等の基材となる不織布又は発泡合成樹脂シートと前記不織布より薄い不織布シート間に配設した唐辛子、茶の葉、ラベンダーの花、みかんの皮、マグネシウム・リン・鉄・亜鉛・銅又はキトサンの粉末、粒体又は破片による各種作用を利用することができるようにする。【解決手段】不織布１又は発泡合成樹脂シートの上面に前記不織布より薄い不織布シート２を貼着した靴の中敷又はスリッパ等用基材において、前記不織布又は発泡合成樹脂シートと不織布より薄い不織布シートの間に、唐辛子３、茶の葉、ラベンダーの花、みかんの皮、マグネシウム・リン・鉄・亜鉛・銅又はキトサンの粉末、粒体又は破片を一種類又は複数種類配設した。【選択図】        図１
2004147730.tif 000002
【特許請求の範囲】
【請求項１】
不織布又は発泡合成樹脂シートの上面に前記不織布より薄い不織布シートを貼着した靴の中敷又はスリッパ等用基材において、前記不織布又は発泡合成樹脂シートと不織布より薄い不織布シートの間に、唐辛子、茶の葉、ラベンダーの花、みかんの皮、マグネシウム・リン・鉄・亜鉛・銅又はキトサンの粉末、粒体又は破片を一種類又は複数種類配設したことを特徴とする靴の中敷又はスリッパ等用基材。
【発明の詳細な説明】
【０００１】
【産業上の利用分野】
この発明は、靴の中敷又はスリッパ等の基材となる不織布又は発泡合成樹脂シートと前記不織布より薄い不織布シート間に配設した唐辛子、茶の葉、ラベンダーの花、みかんの皮、マグネシウム・リン・鉄・亜鉛・銅又はキトサンの粉末、粒体又は破片による各種作用を利用することができるようにした靴の中敷又はスリッパ等用基材に関するものである。
【０００２】
【従来の技術】
靴の中敷又はスリッパはすでに用いられているが、従来から用いられていた前記中敷又はスリッパは、例えば単に不織布又は発泡合成樹脂シートのみで構成されていた。したがって前記従来例によると不織布又は発泡合成樹脂シートの素材自体による柔軟性又はクッション性を発揮させることは可能であった。
【０００３】
【発明が解決しようとする課題】
しかし不織布又は発泡合成樹脂シートのみによって構成されていた中敷又はスリッパは、それ自体は、格別発熱性はなく、人体の一部である足から生じる体温によって使用中に温められることはあっても、それ以上の高温性はこれを期待することはできないのであった。
【０００４】
一方、これら中敷又はスリッパ等は経時的に汚れることがあり、かつ汗が移ることによって悪臭が生じることがあっても、その処理は洗浄しない以上は、不可能であった。すなわち従来の中敷又はスリッパには、抗菌作用又は匂いの消臭作用はなかったのである。
【０００５】
【課題を解決するための手段】
そこでこの発明に係る靴の中敷又はスリッパ等用基材前記の課題を解決するために、不織布又は発泡合成樹脂シートの上面に前記不織布より薄い不織布シートを貼着した靴の中敷又はスリッパ等用基材において、前記不織布又は発泡合成樹脂シートと薄い不織布シートの間に、唐辛子、茶の葉、ラベンダーの花、みかんの皮、マグネシウム・リン・鉄・亜鉛・銅又はキトサンの粉末、粒体又は破片を一種類又は複数種類配設したものである。
【０００６】
【発明の実施の形態】
次にこの発明に係る靴の中敷又はスリッパ等用基材の実施の形態を図面に基づいて述べると、１はこの発明に係る中敷又はスリッパ等の基材となる不織布又は発泡合成樹脂シートであり、この不織布１又は発泡合成樹脂シートは中敷又はスリッパの基材として用いることができる程度に適度な厚さを有して形成されている。
【０００７】
２は、前記不織布１又は発泡合成樹脂シートの上面に貼着する前記不織布１より薄い不織布シートであり、前記不織布１とこの不織布１より薄い不織布シート２の間に、以下に示す各種材料３を配設してある。
【０００８】
この材料３は、以下に示すいづれにあっても、粒体又は破片状に形成してあり、熱可塑性樹脂を主成分とするホットメルトパウダーと混練してこれを前記不織布１又は発泡合成樹脂シート上に散布し、その上に前記不織布１より薄い不織布シート２を敷き、その上部からアイロンを使用して熱接着せしめてある。
【０００９】
前記材料３として例えば、唐辛子を用いると、カプサイシンにより毛細血管を拡張し、血行を盛んにし、足の表面温度を経時的に高めることが可能になるのである。
【００１０】
また材料３として茶の葉を用いた場合には、茶の有する抗菌作用を発揮し、みかんの皮又はラベンダーの花を用いると、それ自在の香りによって、経時的に生じる悪臭の消臭作用が機能することになる。
【００１１】
さらにマグネシウム、リン、鉄、亜鉛、銅等のミネラルを含有し、これらのミネラルの発生するイオンは殺菌、消毒、消臭等を図ることができる。
【００１２】
またキトサンは、例えばズワイガニ等の天然物由来の高分子で生体適合性に富んだポリカチオンであり、抗菌性、吸放湿性、防臭機能、坑アレルギー性を発揮することになるのである。
【００１３】
以上において、前記材料３は一種類又は複数種類を混合して用いることが可能である。
【００１４】
【発明の効果】
前記のようにこの発明に係る靴の中敷又はスリッパ等用基材によれば、不織布又は発泡合成樹脂シートの上面に前記不織布より薄い不織布シートを貼着した靴の中敷又はスリッパ等用基材において、前記不織布又は発泡合成樹脂シートと不織布より薄い不織布シート間に、唐辛子、茶の葉、ラベンダーの花、みかんの皮、マグネシウム・リン・鉄・亜鉛・銅又はキトサンの粉末、粒体又は破片を一種類又は複数種類配設してあるので、前記唐辛子等の各種材料が有する各種の作用が生じるという効果を有するのである。
【図面の簡単な説明】
【図１】この発明に係る靴の中敷又はスリッパ等用基材の一実施例を示す断面図である。
【符号の説明】
１  不織布又は発泡合成樹脂シート
２  薄い不織布シート
３  材料
【図１】
2004147730.tif 000003
(57)【要約】【課題】熟練を要することなく簡単に作成することができ、和室あるいは洋室を問わずに手軽に使用出来る掛け軸を提供する。【解決手段】写真の映像をパソコンで画像処理して得られた画像３をインクジェットプリンターで印刷出力した手漉き和紙２の上部に軸棒７を取り付けるとともに、手漉き和紙２の下部に軸棒９取り付けた掛け軸。【選択図】    図１
2004147769.tif 000002
【特許請求の範囲】
【請求項１】
写真の映像をパソコンで画像処理して得られた画像をインクジェットプリンターで印刷出力した手漉き和紙の上部に軸棒を取り付けるとともに、手漉き和紙の下部に軸棒を取り付けたことを特徴とする掛け軸。
【発明の詳細な説明】
【０００１】
【発明の属する技術分野】
本発明は、手漉き和紙に写真の映像を画像処理してインクジェットで印刷して作成した掛け軸に関する。
【０００２】
【従来の技術】
掛け軸は、和室の床の間を飾るために壁に掛けるものである。掛け軸の作り方は、例えば次のとおりである。図２は従来の掛け軸の正面図である。花鳥風月、書などが書かれた本紙２１を裏打紙に糊付けし、四辺形にカットし、一方、和紙や布の裂（きれ）に裏打紙で裏打ちした後、本紙２１の廻りを囲う一対の柱２２、天２３及び地２４を裁断し、カットされた本紙２１の廻りの裏に柱２２、天２３及び地２４を貼り付け、整形した後、さらに強さを増すために丈夫な和紙で裏打ちする。その後、掛け軸２０を上で止めてぶら下げる半月状の八双２５と、掛け軸２０を吊す重りと巻き取利を兼ねる軸棒２６を取り付け、八双２５には掛け軸２０を掛ける掛緒２７を通す金具２８を取り付け、金具に掛緒２７を止め、掛緒２７には掛け軸２０を巻いて止める巻緒２９を止めて完成する（非特許文献１参照）。
【０００３】
【非特許文献１】
藪田夏秋著「詳説・書画の装い  掛軸をつくる」株式会社日貿出版社、平成１０年６月１０日、ｐ．１，９，３５，６９，９５，１２３
【０００４】
【発明が解決しようとする課題】
従来の掛け軸は、前述のとおり数回の裏打ちやカットなどの行程が多く複雑であり且つカットや裏打ちに熟練を要するため、素人が作成しづらいという問題があった。
【０００５】
また、洋風建築により床の間がない建物が増えて、従来の表装した掛け軸では洋間にそぐわないものもある。
【０００６】
そこで、本発明は、熟練を要することなく簡単に作成することができ、和室あるいは洋室を問わずに手軽に使用出来る掛け軸を提供するものである。
【０００７】
【課題を解決するための手段】
本発明の掛け軸は、写真の映像をパソコンで画像処理して得られた画像をインクジェットプリンターで印刷出力した手漉き和紙の上部に軸棒を取り付けるとともに、手漉き和紙の下部に軸棒を取り付けたことを特徴とする。
【０００８】
【発明の実施の形態】
写真の映像をパソコンで画像処理する。画像処理は、公知のパソコンにより、境界をぼかしたり、色補正したり、色彩度をあげたり、黒の色調を変えたり、明るさやコントラストを調整したり、絵柄を拡大あるいは縮小したりしてオリジナルな好みの画像に仕上げることができる。画像処理により、モノクロの中に、例えば、一カ所に配置した花を彩色にしたりすることもできる。
【０００９】
手漉き和紙には、コウゾを原料とした長い繊維を有する丈夫な手漉き和紙が適している。手漉き和紙を使用することにより、和紙自体が有する風合いと、インクジェットプリンターで印刷した際の滲みにより、和室及び洋室に合った掛け軸が得られる。
【００１０】
【実施例】
図１は本発明の掛け軸の一実施例を示す正面図である。
【００１１】
図１において、掛け軸１は手漉き和紙２に写真の映像をパソコンで画像処理した画像がインクジェットプリンターで印刷出力される。手漉き和紙２に印刷された画像３の周囲はインクの滲み４によりぼかされて画像の境界が繊維５が散在している手漉き和紙２にとけ込むとともに、手漉き和紙２の風合いとにより独特の落ち着きと安定感が得られる。本実施例では、画像処理により、モノクロの中に、一カ所に配置した花６を例えば赤色に彩色した画像となっている。
【００１２】
画像３が印刷された手漉き和紙２の上部に掛け軸１を止めてぶら下げる丸型の軸棒７を取り付け、軸棒に紐を通す金具８を取り付ける。手漉き和紙２の下部には掛け軸１を吊す重りと巻き取りをかねる軸棒９を取り付ける。金具８には掛緒１０を止め、掛緒１０に掛け軸１を巻いて止める巻緒１１を止める。
【００１３】
【発明の効果】
本発明の掛け軸は、手漉き和紙を表装することなく作成できるので、熟練を要することなく、簡単に作成することができる。
【００１４】
また、従来の掛け軸のように、絵柄の廻りに表装しないので、和室あるいは洋室を問わずに手軽に使用出来る掛け軸が得られる。
【００１５】
また、写真を種々の画像処理を行うことによりオリジナルな絵柄を自由に作成することができる。
【図面の簡単な説明】
【図１】本発明の掛け軸の一実施例を示す正面図である。
【図２】従来の掛け軸の正面図である。
【符号の説明】
１：掛け軸          ２：手漉き和紙
３：印刷された画像  ４：インクの滲み
５：繊維            ６：花
７：軸棒          ８：金具
９：軸棒          １０：掛緒
１１：巻緒
２０：掛け軸        ２１：本紙
２２：柱            ２３：天
２４：地            ２５：八双
２６：軸棒          ２７：掛緒
２８：金具          ２９：巻緒
【図１】
2004147769.tif 000003
【図２】
2004147769.tif 000004